(57)【要約】【課題】Ｘ線画像撮影システムの操作者が誤ってＸ線に被曝することを防止する。【解決手段】Ｘ線を照射するＸ線発生装置とＸ線を画像に変換するＸ線画像撮影装置からなるＸ線画像撮影システムにおいて、Ｘ線画像撮影システムを操作し撮影を行う操作者が電波を発信する発信機を携帯し、前記発信機が発信する電波を検出可能な受信機をＸ線の影響を受ける撮影室の中に設置し、前記受信機が前記発信機が発する電波を受信中は、前記Ｘ線発生装置がＸ線を照射することを禁止する。【選択図】　　　図１
2004097638.tif 000002
【特許請求の範囲】
【請求項１】
Ｘ線を照射するＸ線発生装置とＸ線を画像に変換するＸ線画像撮影装置からなるＸ線画像撮影システムにおいて、Ｘ線画像撮影システムを操作し撮影を行う操作者が電波を発信する発信機を携帯し、前記発信機が発信する電波を検出可能な受信機をＸ線の影響を受ける撮影室の中に設置し、前記受信機が前記発信機が発する電波を受信中は、前記Ｘ線発生装置がＸ線を照射する事を禁止する事を特徴とするＸ線画像撮影システム。
【請求項２】
前記Ｘ線画像撮影システムは、前記受信機が前記発信機が発する電波を受信中であっても、操作者の確認操作によって、前記Ｘ線発生装置がＸ線を照射する事を許可する事を特徴とする請求項１に記載のＸ線画像撮影システム。
【請求項３】
前記受信機が前記発信機が発する電波を受信中か否かは前記Ｘ線画像撮影装置が検出する手段を有し、前記Ｘ線画像撮影装置がＸ線の照射を許可しなければ、Ｘ線発生装置はＸ線の照射を行わない事を特徴とする請求項１から請求項２に記載のＸ線画像撮影システム。
【請求項４】
前記Ｘ線画像撮影装置がＸ線に感度が有る固体撮像装置を少なくとも１つ備えたデジタルＸ線撮影装置である事を特徴とする請求項１から請求項３のいずれかに記載のＸ線画像撮影システム。
【発明の詳細な説明】
【０００１】
【発明の属する技術分野】
本発明は、Ｘ線画像の撮像システムに関するものである。
【０００２】
【従来の技術】
医療診断を目的とするＸ線撮影には、増感紙とＸ線写真フィルムを組み合わせたフィルムスクリーンシステムがよく行われている。この方法によれば、被写体を通過したＸ線は、被写体の内部情報を含み、それが増感紙によってＸ線の強度に比例した可視光に変換され、Ｘ線写真フィルムを感光させ、Ｘ線画像をフィルム上に形成する。フィルムスクリーンシステムでは、撮影する線量や部位に応じてフィルムや増感紙を交換していた。
【０００３】
また最近では、Ｘ線を蛍光体によってＸ線の強度に比例した可視光に変換し、それを光電変換素子を用いて電気信号に変換し、それをＡ／Ｄ変換機でデジタル変換するＸ線デジタル撮影装置が使用されはじめている。この光電変換素子としては、アモルファスシリコンを用いたものがあり、センサユニットを大画面かつ薄く軽量に形成することが可能である。また、フィルムに比較して広いダイナミックレンジを持つため、従来フィルムスクリーンシステムで用いられているような撮影方法をカバーし、放射線量の変動に影響されない画像を撮影することが可能になる。
【０００４】
以下にＸ線撮影システムの一例を説明する。
【０００５】
図５はＸ線撮影システムの構成を示す。１１は撮影制御部、１２はセンサ部である。センサ部１２はＸ線により蛍光する蛍光体と光電変換素子を含み、被写体を通過したＸ線を画像信号に変換する。撮影制御部１１とセンサ部１２は双方向通信可能に接続されて、撮影制御部１１はセンサ部の制御および画像信号の取得を行う。また、撮影制御部１１は操作者とのユーザインターフェースを行う図示しない操作パネルと接続される。２１はＸ線制御部、２２はＸ線発生源である。Ｘ線発生源２２はＸ線を発生し任意の範囲に照射する事ができ、Ｘ線の強度はＸ線制御部２１で制御できる。また、Ｘ線制御部２１は操作者がＸ線を照射するための照射ボタンを有する。撮影制御部１１とＸ線制御部２１はＸ線を照射するタイミングを制御するための制御信号で接続されている。３はＸ線撮影システムを操作する操作者、４は被写体である被検者である。
【０００６】
Ｘ線発生源２２とセンサ部１２は撮影室５の中に設置され、Ｘ線制御部２１と撮影制御部１１はＸ線の影響を受けない撮影室５の外の操作室に設置される。操作者３が被検者４の撮影を行う場合は、Ｘ線制御部２１と撮影制御部１１を操作し撮影準備を行った後に、撮影室５の中で被検者４の所望の部位が撮影できるようにＸ線発生源２２とセンサ部１２を調節する。そして、操作者３は操作室で照射ボタンを押して撮影を行う。
【０００７】
【発明が解決しようとする課題】
しかしながら、操作者は撮影を行う場合に被検者の負荷を軽減するために、所望の部位を撮影する為に被検者を整形した後はできる限り早く照射ボタンを押して撮影を完了することが望ましい。そのために、照射ボタンを押せばＸ線が照射できる状態で、操作者は撮影室の中に入り作業を行う。
【０００８】
医療施設によっては複数の撮影室があり、各撮影室の操作室が並んでいて照射ボタンが近くに設置されている場合があり、他の撮影室の照射ボタンと誤って照射ボタンが押されてしまう場合がある。このように誤って照射ボタンが押されると、Ｘ線が照射されてしまい、撮影室の中で作業中の操作者がＸ線を浴びてしまう。また、誤ってＸ線が照射されて撮影を行った場合は再度撮影をやり直す必要があり、操作者が無駄なＸ線を浴びるだけでなく、撮影に要する時間も長くなり、操作者や被検者にかかる負荷も多くなる。
【０００９】
また、被検者の状態や撮影する部位によっては、操作者が被検者を支えた状態で撮影する事が必要になる場合がある。そのような場合は第三者が照射ボタンを押す必要がある。しかし、第三者が照射ボタンを押すタイミングを誤り、操作者が撮影準備を完了する前に照射ボタンを押してしまうと所望の部位を撮影できず再度撮影をやり直す必要がある。
【００１０】
本発明の目的は、誤ってＸ線が照射されることを防止できるＸ線画像撮影システムを提供することにある。
【００１１】
【課題を解決するための手段】
本発明によれば、Ｘ線を照射するＸ線発生装置とＸ線を画像に変換するＸ線画像撮影装置からなるＸ線画像撮影システムにおいて、Ｘ線画像撮影システムを操作し撮影を行う操作者が電波を発信する発信機を携帯し、前記発信機が発信する電波を検出可能な受信機をＸ線の影響を受ける撮影室の中に設置し、前記受信機が前記発信機が発する電波を受信中は、前記Ｘ線発生装置がＸ線を照射する事を禁止する事によって、誤った操作によってＸ線が照射されることを防止できる。
【００１２】
また、前記Ｘ線画像撮影システムは、前記受信機が前記発信機が発する電波を受信中であっても、操作者の確認操作によって、前記Ｘ線発生装置がＸ線を照射する事を許可する事によって、誤ったタイミングでＸ線が照射されることを防止できる。
【００１３】
【発明の実施の形態】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１４】
図１は、本発明に係わるＸ線撮影システムの構成を示す。１１は撮影制御部、１２はセンサ部で、撮影制御部１１とセンサ部１２は双方向通信可能に接続されている。２１はＸ線制御部、２２はＸ線発生源で、Ｘ線制御部２１とＸ線発生部２２は通信可能に接続されている。また、撮影制御部１１とＸ線制御部２１はＸ線を照射するタイミングを制御するための制御信号で接続されて、更に撮影制御部１１とＸ線制御部２１は双方向通信可能なシリアル通信手段で接続され撮影制御部１１がＸ線の管電圧、管電流、照射時間のＸ線の照射条件を設定可能になっている。３はＸ線撮影システムを操作する操作者、４は被検者である。
【００１５】
Ｘ線制御部２１には図示しない照射ボタンが有り、操作者３は照射ボタンを押してＸ線を照射する。
【００１６】
６１は無線受信器、６２は無線発信器である。無線発信器６２は微弱な特定の周波数の電波を常に発信し、無線受信器６１は無線発信器６２が発信する電波を受信する機能を有している。
【００１７】
無線発信器６２はＰＨＳ端末を搭載した情報携帯端末、無線受信器６１はＰＨＳ受信アンテナを利用する。
【００１８】
５は撮影室で、撮影室５には、センサ部１２とＸ線発生源２２と無線受信器６１が設置されている。無線受信器６１と撮影制御部１１は、無線受信器６１が無線発信器６２が発信する電波を受信中か否かを撮影制御部１１が検出できる信号線で接続されている。
【００１９】
無線受信機６１は無線発信機６２が撮影室５の中に有る場合は無線発信機６２が発信する電波を検出できるが、無線発信機６２が撮影室５の外に有る場合は無線発信機６２が発信する電波を検出できない。操作者３は無線発信器６２を携帯することによって、撮影制御部１１は操作者３が撮影室５の中に居るか否かを検出できる。
【００２０】
操作者３は被検者４を撮影する場合は、Ｘ線制御部２１と撮影制御部１１を操作して撮影準備を行う。その後、操作者３は撮影室５の中で、所望の部位が撮影できるように被検者４とセンサ部１２とＸ線発生源２２を配置する。その後、操作者３は撮影室５から出て照射ボタンを押して撮影を行う。
【００２１】
図２は、撮影制御部１１の詳細を示す。
【００２２】
撮影制御部１１は、センサ部１２およびＸ線制御部２１との曝射の同期および画像の取得を行うキャプチャボード２０１、操作者が操作を行うための操作パネル１３、制御プログラムを実行するために必要なＣＰＵやＲＡＭ等を含むＣＰＵボード、制御プログラムや撮影した画像を格納するハードディスク２０４で構成される。ＣＰＵボード２０２とキャプチャボード２０１とハードディスク２０４はシステムバス２０３に接続されており、ＣＰＵボード２０２で実行される制御プログラムによって制御できる構成になっている。
【００２３】
センサ部１２はＸ線の透過により蛍光する蛍光板と大画面光電変換装置を含み、被写体を通過したＸ線を電気信号に変換して画像信号として出力する。センサ部１２から出力された画像信号はキャプチャボード２０１に一時保存された後、制御プログラムによりシステムバス２０３を介してＣＰＵボード２０２もしくはハードディスク２０４に転送される。
【００２４】
操作パネル１３はタッチパネルディスプレイで構成され、ＣＰＵボード２０２で動作するプログラムにより生成した画面をビデオＩ／Ｆ２０６を介して操作パネル１３に表示し、操作者は操作パネル１３に表示されたボタンを押すと、ボタンに対応する座標データをシリアルＩ／Ｆ２０５を介してＣＰＵボード２０２へ転送し、この情報に基づいてＣＰＵボード２０２は、操作者の操作を検出し、対応するプログラム処理を行う。２０７はネットワークＩ／Ｆで病院内のネットワークに接続可能となっている。２０８は入出力ポートで無線受信機６１の信号を入力する。
【００２５】
図３は、センサ部１２およびＸ線制御部２１との曝射の同期および画像の取得を行うための制御信号を示す。３０１はＸ線制御部２１が撮影制御部１１にＸ線を照射する事を通知する照射要求信号、３０２は撮影制御部１１がＸ線制御部２１にＸ線の照射を許可する事を通知する照射許可信号である。Ｘ線制御部２１はＸ線の照射準備か完了し操作者が照射ボタンを押すと照射要求信号３０１を真の状態にして、その後、照射許可信号３０２が真の状態になるとＸ線を照射する。３０３は撮影制御部１１がセンサ部１２に撮影準備を行う事を要求する撮影要求信号、３０４はセンサ部１２が撮影準備が完了した事を通知する撮影許可信号、３０５はセンサ部に撮影を開始する事を要求する撮影開始信号、３０６は画像信号を転送するための光通信ケーブルである。３０７は無線受信機６１が無線発信機６２が発信する電波を受信中か否かを撮影制御部１１に通知する無線受信信号である。
【００２６】
撮影制御部１１は照射許可信号３０２の状態を真にすることによってＸ線の照射を許可し、照射許可信号３０２の状態を偽にすることによってＸ線の照射を禁止する。照射許可信号３０２が偽のときは操作者が照射ボタンを押してもＸ線は照射されない。
【００２７】
図３の制御信号を用いて、撮影制御部１１が行う曝射の同期および画像の取得の処理の流れを図４を用いて説明する。
【００２８】
図４の処理を開始する前の照射要求信号３０１、照射許可信号３０２、撮影要求信号３０３、撮影許可信号３０４、および撮影開始信号３０５の状態は偽である。操作者が撮影制御部１１を操作して撮影を開始する事によって図４の処理は開始される。
【００２９】
ステップ４０１は撮影要求信号３０３を真にする。センサ部１２は撮影要求信号３０３が真である事を検出すると撮影準備を開始し、撮影準備が完了すると撮影許可信号３０４を真にする。
【００３０】
ステップ４０２は撮影許可信号３０４が真になるのを待つ。撮影許可信号３０４が真になると撮影可能である事を操作パネルに表示してステップ４０３に進む。
【００３１】
ステップ４０３は無線受信信号３０７が偽ならばステップ４０６に進み、無線受信信号３０７が真ならばステップ４０４に進む。ステップ４０４は撮影室に操作者が居る事を警告するメッセージを操作パネルに表示すると共に撮影を続行するか中止するか操作者に選択させる。
【００３２】
ステップ４０５は操作者が撮影中止を選択するとステップ４１３に進み、撮影続行を選択すると４０６に進む。ステップ４０６は操作者が照射ボタンを押すまで待つ。照射ボタンが押されると照射要求信号が真になりステップ４０７に進む。ステップ４０７は照射要求許可信号３０２を真にして、ステップ４０８は撮影開始信号３０５を真にする。ステップ４０９まで進むとＸ線発生部からＸ線が照射され、センサ部でＸ線を電気信号に変換される。ステップ４０９はＸ線が照射されが完了するまで待つ。Ｘ線の照射が完了すると照射要求信号３０１が偽になりステップ４１０に進む。撮影制御部１１はＸ線の照射時間を測定し想定時間経過しても照射要求信号３０１が偽にならない場合は強制的にステップ４１０に進む。ステップ４１０は照射許可信号３０２を偽にしてＸ線の照射を禁止する。ステップ４１１は撮影開始信号３０５を偽にする。センサ部は撮影開始信号３０５が偽になるとＸ線を電気信号に変換した画像信号を撮影制御部に転送する。ステップ４１２で画像信号を受信し、ステップ４１３で撮影要求信号３０３を偽にして撮影を終了する。
【００３３】
図４の処理によれば、操作者が撮影室内で作業中に第三者によって照射ボタンが押されても、ステップ４０３からステップ４０５によって第三者が操作パネル１３で撮影続行を選択しない限りはＸ線は照射できない。従って、第三者は間違いに気づき誤ってＸ線を照射する事は無い。
【００３４】
また、被検者の状態や撮影する部位によっては、操作者が撮影室内で被検者を支えて第三者が照射ボタンを押す必要がある。そのような場合でも、ステップ４０５で撮影続行を選択しなければ撮影が続行できないので、撮影室内の操作者の合図を確認後に第三者は撮影続行を選択して照射ボタンを押すことによって、誤ったタイミングでＸ線を照射することは防止できる。
【００３５】
（他の実施形態）
以上、本発明の実施形態について詳述したが、本発明は、複数の機器から構成されるシステムに適用しても良いし、また、一つの機器からなる装置に適用しても良い。
【００３６】
なお、本発明は、前述した実施形態の機能を実現するソフトウェアのプログラムを、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【００３７】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【００３８】
その場合、プログラムの機能を有していれば、オブジェクトコード、インタプリタにより実行されるプログラム、ＯＳに供給するスクリプトデータ等、プログラムの形態を問わない。
【００３９】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００４０】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００４１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００４２】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００４３】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【００４４】
【発明の効果】
以上説明したように、本発明によれば、
発信機を携帯した操作者と撮影室内に設置した受信機によって、操作者が撮影室内に居るか否かを検出し、操作者が撮影室内で作業中に第三者によって照射ボタンが押されてもＸ線の照射を禁止する事によって、操作者が誤ってＸ線に被曝する事を防止できる。また、操作者が撮影室内にいる場合でも、第三者の確認操作によってＸ線を照射できる事によって、撮影の失敗を防止できる効果がある。
【図面の簡単な説明】
【図１】本発明のＸ線画像撮影システムの構成図である。
【図２】撮影制御部の詳細図である。
【図３】撮影制御部とセンサ部およびＸ線制御部の信号線の図である。
【図４】撮影処理のフローチャートである。
【図５】従来のＸ線画像撮影システムの構成図である。
【符号の説明】
１１　撮影制御部
１２　センサ部
２１　Ｘ線制御部
２２　Ｘ線発生部
３　操作者
４　被検者
５　撮影室
６１　無線受信機
６２　無線送信機
【図１】
2004097638.tif 000003
【図２】
2004097638.tif 000004
【図３】
2004097638.tif 000005
【図４】
2004097638.tif 000006
【図５】
2004097638.tif 000007